(57)【要約】      （修正有）【課題】照準器の倍率を十分に調整でき、製造も容易なリレー組立体を提供する。【解決手段】ハウジング１２、光学系トレーン１４、調整システム１６、リレー組立体を含んでよい照準器１０を提供する。ハウジング１２は、火器２０に着脱可能に取り付けられており、光学系トレーン１４及び調整システム１６を支持する。光学系トレーン１４はハウジング１２と協働して、標的の拡大画像を提供し、その一方で調整システム１６は、ハウジング１２に対して光学系トレーン１４の少なくとも一部及びリレー組立体を位置決めして、光学系トレーン１４及びリレー組立体と連動するレチクルパターンを火器２０に対して適切に整列させる。【選択図】図１
2015191239.tif 000002
【特許請求の範囲】
【請求項１】
一体形成された第１の軸受け表面を有する、ハウジング；
少なくとも１つの光学素子、主チューブ、少なくとも１つのトラックを有するトラックチューブを有する、リレー組立体
を備える、照準器であって、
前記トラックチューブは、前記主チューブに対して前記主チューブの周りで選択的に回転可能であり、これによって前記主チューブ内における少なくとも１つの光学素子の軸方向位置を、前記主チューブの長手方向軸に対して略平行な軸に沿って調整でき、
前記主チューブは球面を含み、前記球面は前記ハウジングの前記第１の軸受け表面と接触して、前記ハウジング内において前記主チューブの枢動点を画定する、照準器。
【請求項２】
前記ハウジングに支持された、第２の軸受け表面を含むカラーを更に備え、
前記第２の軸受け表面は、前記ハウジングの前記第１の軸受け表面と協働し、前記主チューブの前記球面と係合して、前記枢動点を画定する、請求項１に記載の照準器。
【請求項３】
前記カラーは、前記カラーの前記第２の軸受け表面とは反対側に形成された一連のスレッドを含み、
前記一連のスレッドは、前記カラーを前記ハウジングに取り付けるために前記ハウジングのスレッドと噛合して係合するよう操作できる、請求項２に記載の照準器。
【請求項４】
前記リレー組立体に前記球面を設けるエンドキャップを更に備え、
前記エンドキャップは前記主チューブに取り付けられる、請求項１に記載の照準器。
【請求項５】
前記エンドキャップと前記トラックチューブとの間に配置された保持器を更に備え、
前記保持器は、前記主チューブの前記長手方向軸に対して略平行な方向における前記トラックチューブの運動を制限するために、前記トラックチューブと係合するよう操作できる、請求項４に記載の照準器。
【請求項６】
前記保持器は、前記エンドキャップの第２の保持要素と協働して前記保持器を前記エンドキャップに取り付ける、第１の保持要素を含み、
前記第１の保持要素は、前記第２の保持要素と協働して、前記保持器を、前記主チューブの前記長手方向軸に対して略平行な方向に選択的に移動させ、前記保持器が前記トラックチューブと係合できるようにする、請求項５に記載の照準器。
【請求項７】
前記第１の保持要素及び前記第２の保持要素はスレッドである、請求項６に記載の照準器。
【請求項８】
前記保持要素は、前記エンドキャップに螺合される、請求項５に記載の照準器。
【請求項９】
前記主チューブに取り付けられた付勢要素を更に備える、請求項１に記載の照準器。
【請求項１０】
前記付勢要素は、前記主チューブと共に運動するよう固定された第１の端部と、前記ハウジングの内側表面に接触する第２の端部とを含み、
前記付勢要素は、前記主チューブを前記ハウジングに設置する際に、前記主チューブに力を印加する、請求項９に記載の照準器。
【請求項１１】
一体形成された第１の軸受け表面を有する、照準器ハウジング；
少なくとも１つの光学素子、及び主チューブと少なくとも１つのトラックを有するトラックチューブとを含むリレーハウジングを有する、リレー組立体
を備える、照準器であって、
前記トラックチューブは、前記主チューブに対して前記主チューブの周りで選択的に回転可能であり、これによって前記主チューブ内における少なくとも１つの光学素子の軸方向位置を、前記主チューブの長手方向軸に対して略平行な軸に沿って調整でき、
前記リレーハウジングは球面を含み、前記球面は前記照準器ハウジングの前記第１の軸受け表面と接触して、前記照準器ハウジング内において前記リレーハウジングの枢動点を画定する、照準器。
【請求項１２】
前記照準器ハウジングに支持された、第２の軸受け表面を含むカラーを更に備え、
前記第２の軸受け表面は、前記照準器ハウジングの前記第１の軸受け表面と協働し、前記リレーハウジングの前記球面と係合して、前記枢動点を画定する、請求項１１に記載の照準器。
【請求項１３】
前記カラーは、前記カラーの前記第２の軸受け表面とは反対側に形成された一連のスレッドを含み、
前記一連のスレッドは、前記カラーを前記照準器ハウジングに取り付けるために前記照準器ハウジングのスレッドと噛合して係合するよう操作できる、請求項１２に記載の照準器。
【請求項１４】
前記リレー組立体に前記球面を設けるエンドキャップを更に備え、
前記エンドキャップは前記主チューブに取り付けられる、請求項１１に記載の照準器。
【請求項１５】
前記エンドキャップと前記トラックチューブとの間に配置された保持器を更に備え、
前記保持器は、前記主チューブの前記長手方向軸に対して略平行な方向における前記トラックチューブの運動を制限するために、前記トラックチューブと係合するよう操作できる、請求項１４に記載の照準器。
【請求項１６】
前記保持器は、前記エンドキャップの第２の保持要素と協働して前記保持器を前記エンドキャップに取り付ける、第１の保持要素を含み、
前記第１の保持要素は、前記第２の保持要素と協働して、前記保持器を、前記主チューブの前記長手方向軸に対して略平行な方向に選択的に移動させ、前記保持器が前記トラックチューブと係合できるようにする、請求項１５に記載の照準器。
【請求項１７】
前記第１の保持要素及び前記第２の保持要素はスレッドである、請求項１６に記載の照準器。
【請求項１８】
前記保持要素は、前記エンドキャップに螺合される、請求項１５に記載の照準器。
【請求項１９】
前記リレーハウジングに取り付けられた付勢要素を更に備える、請求項１１に記載の照準器。
【請求項２０】
前記付勢要素は、前記主チューブと共に運動するよう固定された第１の端部と、前記照準器ハウジングの内側表面に接触する第２の端部とを含み、
前記付勢要素は、前記主チューブを前記照準器ハウジングに設置する際に、前記主チューブに力を印加する、請求項１９に記載の照準器。
【発明の詳細な説明】
【技術分野】
【０００１】
本開示は照準器に関し、より詳細には照準器用のリレーチューブに関する。
【背景技術】
【０００２】
本節は、本開示に関連する背景情報（必ずしも従来技術ではない）を提供する。
【０００３】
照準器は、ライフル銃及び／又は拳銃等の火器と共に広く使用され、これによりユーザが標的をより明瞭に視認して、火器を標的に向けることができる。従来の照準器は、一連のレンズ及び／又はその他の光学部品を含み、これらは像を拡大してレチクルを提供し、これによりユーザは、拡大された標的を火器のバレルに対して位置合わせできる。照準器を火器に対して適切に「ゼロ位置設定」し、並びに／又は風及び仰角等の環境条件を考慮するために、照準器は、火器のバレルに対するレチクルの位置の調整を可能とする１つ又は複数の調整機構を含んでよい。
【０００４】
照準器は更に、リレー組立体を含んでよく、これによりユーザは照準器の倍率を容易かつ確実に調整できる。このようなリレー組立体は、１つ又は複数の光学素子（即ちレンズ）を支持する主チューブと、光学素子のうちの少なくとも１つと共に移動するよう固定された軸受けを摺動可能に受承する１つ又は複数のトラック又はスロットを有する、いわゆる「トラックチューブ」とを含む。
【０００５】
動作中、照準器の調整用カラーに回転力が印加されると、この力はトラックチューブに伝達され、これによりトラックチューブは主チューブに対して回転する。主チューブに対するトラックチューブのこのような移動により、軸受けはトラックチューブのトラック内で移動し、トラックチューブのトラックによって案内される。トラック内での軸受けの移動の結果、主チューブの長手方向軸に対してある角度にトラックを形成することにより、軸受け及びこれに関連する（１つ又は複数の）光学素子は、上記長手方向軸に対して略平行な方向に軸方向移動する。その結果、照準器のハウジングに対する上記調整用カラーの回転方向に応じて、照準器の倍率が上昇又は低下する。
【０００６】
リレー組立体は典型的には、レチクルが刻まれた光学素子を含むため、リレー組立体は、照準器をゼロ位置に設定する際に、又は環境条件を考慮するためにレチクルの位置を調整する際に、レチクルの位置を調整するためにも使用される。光学素子は主チューブに支持され、枢動点の周りで主チューブを枢動させることによって、照準器のハウジングに対して主チューブに沿って移動させることができる。ハウジングに対する主チューブ及びレチクルのこのような移動は、調整機構のダイアルに対して回転力を印加することによって達成され、これは続いてポストの並進を引き起こし、ポストは主チューブに接触して、ハウジングに対する主チューブの枢動移動を引き起こす。
【０００７】
従来のリレー組立体は、照準器の倍率を十分に調整でき、また更に、ユーザが偏流及び仰角を考慮してレチクルの位置を十分に調整できるようにするが、このような照準器は典型的には製造が困難であり、照準器が所望の機能を有することができるようにするために多数の構成部品が必要となる場合が多い。
【発明の概要】
【発明が解決しようとする課題】
【０００８】
本節は、本開示の概要を提供するが、その全範囲又はその特徴全ての包括的な開示ではない。
【課題を解決するための手段】
【０００９】
一体形成された第１の軸受け表面を有するハウジングと、少なくとも１つの光学素子、主チューブ、少なくとも１つのトラックを有するトラックチューブを有するリレー組立体とを含む、照準器を提供する。トラックチューブは主チューブに対して主チューブの周りで選択的に回転可能であり、これによって主チューブ内における少なくとも１つの光学素子の軸方向位置を、主チューブの長手方向軸に対して略平行な軸に沿って調整できる。主チューブは球面を含み、この球面はハウジングの第１の軸受け表面と接触して、ハウジング内において主チューブの枢動点を画定する。
【００１０】
別の構成では、一体形成された第１の軸受け表面を有する照準器ハウジングを含み、また少なくとも１つの光学素子及び主チューブと少なくとも１つのトラックとを有するトラックチューブを含むリレーハウジングを含む、照準器を提供する。トラックチューブは主チューブに対して主チューブの周りで選択的に回転可能であり、これによって主チューブ内における少なくとも１つの光学素子の軸方向位置を、主チューブの長手方向軸に対して略平行な軸に沿って調整できる。リレーハウジングは球面を含み、この球面は照準器ハウジングの第１の軸受け表面と接触して、照準器ハウジング内においてリレーハウジングの枢動点を画定する。
【００１１】
更なる応用範囲は、本明細書で提供する説明から明らかになるであろう。この概要中の説明及び具体例は、例示のみを目的としており、本開示の範囲を限定することを意図したものではない。
【００１２】
ここで説明する図面は、全ての可能な実装形態ではなく選択した実施形態のみの例示を目的としており、本開示の範囲を限定することを意図したものではない。
【図面の簡単な説明】
【００１３】
【図１】図１は、本開示の原理による照準器を組み込んだ火器の斜視図である。
【図２】図２は、図１の線２−２に沿った、図１の照準器の断面図である。
【図３】図３は、図１の線３−３に沿った、図１の照準器の断面図である。
【図４】図４は、図１の照準器のリレーチューブ組立体の側面図である。
【図５】図５は、図４のリレーチューブ組立体の展開図である。
【図６】図６は、球形エンドキャップを示す、図４のリレーチューブ組立体の端面図である。
【図７】図７は、図６の線７−７に沿った、リレーチューブ組立体の断面図である。
【図８】図８は、図６の線８−８に沿った、リレーチューブ組立体の断面図である。
【発明を実施するための形態】
【００１４】
添付の図面中の複数の図を通して、対応する参照番号は対応する部品を表す。
【００１５】
これより、添付の図面を参照して、例示的実施形態をより十分に説明する。
【００１６】
本開示を完全なものとし、本開示の範囲を当業者に完全に伝えるために、例示的実施形態を提供する。本開示の実施形態の完全な理解を提供するために、具体的な構成部品、デバイス及び方法の例等、多数の具体的詳細を挙げる。これらの具体的詳細は必ずしも使用しなくてよいこと、例示的実施形態は多数の異なる形態で実現できること、例示的実施形態は本開示の範囲を制限するものと解釈するべきではないことは、当業者には明らかであろう。いくつかの例示的実施形態では、公知のプロセス、公知のデバイス構造、公知の技術については詳細に説明しない。
【００１７】
ここで使用する専門用語は、特定の例示的実施形態を説明することのみを目的とし、制限を意図したものではない。ここで使用する単数形「ある（ａ、ａｎ）」及び「その、上記（ｔｈｅ）」は、文脈からそうでないことが明らかでない限り、複数形も含むことを意図し得る。用語「備える（ｃｏｍｐｒｉｓｅｓ、ｃｏｍｐｒｉｓｉｎｇ）」、「含む（ｉｎｃｌｕｄｉｎｇ）」、「有する（ｈａｖｉｎｇ）」は包括的なものであり、従って言明されている特徴、整数、ステップ、操作、要素及び／又は構成部品の存在を特定するものであるが、１つ又は複数の他の特徴、整数、ステップ、操作、要素、構成部品及び／又はこれらの群を排除するものではない。ここで説明する方法ステップ、プロセス、操作は、実行順序として具体的に指定されていない限り、ここで議論又は図示する特定の順序で必ず実行されるものとして理解するべきではない。追加の又は代替のステップを使用してよいことも理解されたい。
【００１８】
ある要素又は層について、別の要素又は層「の上にある（ｏｎ）」、「に係合される（ｅｎｇａｇｅｄ  ｔｏ）」、「に接続される（ｃｏｎｎｅｃｔｅｄ  ｔｏ）」又は「に連結される（ｃｏｕｐｌｅｄ  ｔｏ）」ものとして言及する場合、この要素又は層は、上記別の要素又は層の直接上にある、直接係合される、直接接続される又は直接連結される場合もあり、介在要素又は層が存在する場合もある。対照的に、ある要素又は層について、別の要素又は層の「直接上にある（ｄｉｒｅｃｔｌｙ  ｏｎ）」、「直接係合される（ｄｉｒｅｃｔｌｙ  ｅｎｇａｇｅｄ  ｔｏ）」、「直接接続される（ｄｉｒｅｃｔｌｙ  ｃｏｎｎｅｃｔｅｄ  ｔｏ）」又は「直接連結される（ｄｉｒｅｃｔｌｙ  ｃｏｕｐｌｅｄ  ｔｏ）」ものとして言及する場合、介在要素又は層は存在しなくてよい。要素間の関係を説明するために使用されるその他の語句についても同様に解釈するべきである（例えば「の間に（ｂｅｔｗｅｅｎ）」と「の間に直接（ｄｉｒｅｃｔｌｙ  ｂｅｔｗｅｅｎ）」、「隣接して（ａｄｊａｃｅｎｔ）」と「直接隣接して（ｄｉｒｅｃｔｌｙ  ａｄｊａｃｅｎｔ）」等）。ここで使用する用語「及び／又は（ａｎｄ／ｏｒ）」は、関連して列挙されるいずれの項目及びこれらのうちの１つ又は複数の組み合わせ全てを含む。
【００１９】
第１、第２、第３等の用語は、様々な要素、構成部品、領域、層及び／又はセクションを説明するために使用できるが、これら要素、構成部品、領域、層及び／又はセクションはこれらの用語によって限定されてはならない。これらの用語は、ある要素、構成部品、領域、層又はセクションを、別の要素、構成部品、領域、層又はセクションから区別するためにのみ使用され得る。「第１の（ｆｉｒｓｔ）」、「第２の（ｓｅｃｏｎｄ）」及び他の数等の用語は、ここで使用される場合は、文脈からそうでないことが明らかでない限り、順序を暗示するものではない。従って、以下で議論する第１の要素、構成部品、領域、層又はセクションは、例示的実施形態の教示から逸脱することなく、第２の要素、構成部品、領域、層又はセクションと呼ばれる場合もある。
【００２０】
「内側の（ｉｎｎｅｒ）」、「外側の（ｏｕｔｅｒ）」、「下の（ｂｅｎｅａｔｈ）」、「下方の（ｂｅｌｏｗ）」、「下側の（ｌｏｗｅｒ）」、「上の（ａｂｏｖｅ）」、「上側の（ｕｐｐｅｒ）」等、空間的相対関係を表す用語は、ここでは、ある要素又は特徴の、図示されているように別の（１つ若しくは複数の）要素又は（１つ若しくは複数の）特徴に対する関係を説明できるよう、説明を容易にするために使用され得る。空間的相対関係を表す用語は、図示した配向に加えて、使用時又は操作時におけるデバイスの様々な配向を包含することを意図したものであってよい。例えば、図面中のデバイスを倒立させた場合、他の要素又は特徴の「下方の」又は「下の」ものとして記載された要素は、上記他の要素又は特徴の「上」に配向されることになる。従ってこの例示的な用語「下方の」は、上及び下の配向両方を包含できる。デバイスは他の状態で（９０°回転させて又はその他の配向で）配向してよく、ここで使用される空間的相対関係の記述語はこれに従って解釈してよい。
【００２１】
図１〜３を参照すると、ハウジング１２、光学系トレーン１４、調整システム１６、リレー組立体１８を含んでよい照準器１０を提供する。ハウジング１２は、火器２０に着脱可能に取り付けられており、光学系トレーン１４及び調整システム１６を支持する。光学系トレーン１４はハウジング１２と協働して、標的の拡大画像を提供し、その一方で調整システム１６は、ハウジング１２に対して光学系トレーン１４の少なくとも一部及びリレー組立体１８を位置決めして、光学系トレーン１４及びリレー組立体１８と連動するレチクルパターン（図示せず）を火器２０に対して適切に整列させる。発光ダイオード（ＬＥＤ、図示せず）又はその他の照明システムは、光学系トレーン１４と協働して、ユーザが照準器１０及び火器２０に対して標的を整列させるのを補助するためにレチクルパターンを照明できる。
【００２２】
ハウジング１２は、火器２０に着脱可能に固定でき、主本体２２、アイピース２４、及びアイピース２４を主本体２２に固定する取り付けカラー２６を含む。主本体２２は略管状の部材であってよく、内側キャビティ２８、ハウジング１２の第１の端部３２と第２の端部３４との間に延在する長手方向軸３０、及び主本体２２を介して火器２０にハウジング１２を取り付けるための設置部分３６を含む。
【００２３】
図２に示すように、第１の端部３２は一連のスレッド３８を含み、これらは取り付けカラー２６のスレッド４０と協働して、取り付けカラー２６を第１の端部３２において主本体２２に固定する。第１の端部３２は更に、第１の端部３２において主本体２２のスレッド３８とは反対側に形成された一連のスレッド４２を含み、スレッド４２は主本体２２の内側キャビティ２８に対向する。第２の端部３４は、主本体２２の第１の端部３２とは反対側に配置され、一連の内側スレッド４６を有する開口４４を含む。内側スレッド４６は光学系トレーン１４の一部と協働して、主本体２２内に光学系トレーン１４を保持する。
【００２４】
設置部分３６は長手方向軸３０に沿って配置され、概ね第１の端部３２と第２の端部３４との間に位置する。設置部分３６はスレッド付き穿孔４８（図２）を含んでよく、これら穿孔４８は、火器２０と関連する設置用特徴部分５０（図１）と協働して、ハウジング１２の設置部分３６において照準器１０を火器２０に設置できるようにする。
【００２５】
アイピース２４は上述のように、第１の端部３２において取り付けカラー２６を介して主本体２２に取り付けられる。アイピース２４は、一連の外側スレッド５４及び一連の内側スレッド５６を有するハウジング５２を含む。外側スレッド５４は、取り付けカラー２６の内側スレッド５８と係合して、主本体２２に対するアイピース２４の調整を可能とする。
【００２６】
アイピース２４は、取り付けカラー２６によって主本体２２の第１の端部３２に対して位置決めされ、これによりアイピース２４は光学系トレーン１４の一部を、主本体２２に対して所定の距離に支持する。即ち、図２、３に示すように、光学系トレーン１４の一部は、取り付けカラー２６によって、リレー組立体１８から長手方向軸３０に沿って所定の距離に位置決めされる。
【００２７】
図２、３を特に参照すると、光学系トレーン１４は、接眼組立体６０、ズーム組立体６２、レチクル組立体６４、対物組立体６８を含むものとして示されている。接眼組立体６０は、一連のレンズ７２を有する接眼レンズ組立体７０を含んでよい。接眼レンズ組立体７０は、アイピース２４により、ハウジング１２の主本体２２に対して１つ又は複数の保持カラー７４によって支持できる。一構成例では、保持カラー７４は、アイピース２４の内側スレッド５６と螺合して、接眼レンズ組立体７０のレンズ７２をアイピース２４内に保持して位置決めする。
【００２８】
ズーム組立体６２はリレー組立体１８によって照準器１０のハウジング１２内に支持され、第１のリレーレンズ組立体７６及び第２のリレーレンズ組立体７８を含んでよい。第１のリレーレンズ組立体７６及び第２のリレーレンズ組立体７８はそれぞれ一連のレンズ８０を含んでよく、これらは互いに協働して、開口４４においてハウジング１２が受け取る画像の倍率を調整する。
【００２９】
レチクル組立体６４は、レチクル−レンズハウジング８４が支持する１つ又は複数のレチクルレンズ８２を含んでよい。レチクル−レンズハウジング８４は、主本体２２の内側キャビティ２８に取り付けられ、リレー組立体１８によって主本体２２の内側キャビティ２８内に支持される。従って、リレー組立体１８をハウジング１２の内側キャビティ２８内においてこの内側キャビティ２８に対して移動させると、レンズ８２も同様に、内側キャビティ２８内において内側キャビティ２８に対して移動する。レンズ８２のうちの１つは、それ自体に刻まれたレチクルパターンを含むため、レチクル−レンズハウジング８４及びレンズ８２の、ハウジング１２の内側キャビティ２８内におけるこの内側キャビティ２８に対する移動は、これと同様に、レチクルパターンの位置を、内側キャビティ２８内においてこの内側キャビティ２８に対して調整する。更に、ハウジング１２は、主本体２２の設置部分３６及び火器２０の設置用特徴部分５０を介して火器２０に固定されるため、ハウジング１２に対するレチクルパターンの調整は、これと同様に、火器２０に対するレチクルパターンの位置を調整する。
【００３０】
対物組立体６８はハウジング１２の第２の端部３４に近接して配置してよく、一連の対物レンズ９０を含んでよい。対物レンズ９０は、少なくとも１つの保持カラー９２を介してハウジング１２内に保持及び支持できる。一構成例では、（１つ又は複数の）保持カラー９２は、開口４４の内側スレッド４６と螺合して、対物レンズ９０をハウジング１２の長手方向軸３０に沿った所望の位置に位置決め及び保持する。
【００３１】
光学系トレーン１４に関する以上の説明は、光学構成部品の例示的構成を例証するために提供される。本開示の原理は、上述の特定の構成部品及び／又は構成部品の配置を含む光学系トレーンを有する照準器への用途に限定されない。照準器１０は、所定の用途に適合するよう、光学構成部品のいずれの他の構成又は配置を含んでよく、また実質的にいずれの倍率を照準器１０に提供できる。
【００３２】
ここでも図２、３を参照すると、調整システム１６は、第１のアジャスタ組立体又はタレット９４及び第２のアジャスタ組立体又はタレット９６を含むものとして示される。一構成例では、調整タレット９４はハウジング１２に対して位置決めされ、ハウジング１２によって支持され、これによって調整タレット９４は、図２に示すように、レチクル−レンズハウジング８４及びこれに伴ってレンズ８２の位置を、長手方向軸３０に略垂直な方向及び方向（Ｘ）に調整できる。方向（Ｘ）へのレンズ８２の移動は同様に、方向（Ｘ）へのレチクルパターンの移動を引き起こし、これは続いて、火器２０に対するレチクルパターンの位置を調整する。方向（Ｘ）へのレチクルパターンの位置の調整により、レチクルパターンの位置を、火器２０の上面９８に向かう方向又はこれから離れる方向に調整し、従ってレチクルパターンの仰角位置を調整し、ユーザは様々な距離の標的を射撃する際に仰角を考慮できる。
【００３３】
調整タレット９６は、長手方向軸３０に対して略垂直に位置決めされるが、長手方向軸３０の周りで調整タレット９４に対して９０°回転される。調整タレット９６は同様に、ハウジング１２に対するレチクル−レンズハウジング８４及びこれに関連するレンズ８２の位置を、調整タレット９４と同様の様式で調整できる。しかしながら調整タレット９６は、レンズ８２の位置を方向（Ｙ；図３）に調整し、これはレンズ８２を、方向（Ｘ）に対して略９０°である方向に移動させる。方向（Ｙ）へのレンズ８２の移動により、レチクルは同様に方向（Ｙ）に、及び火器２０の上面９８に対して略平行に移動する。従って調整タレット９６は、照準器１０及び火器２０を用いる際にユーザが偏流を考慮できるようにする。
【００３４】
調整タレット９４、９６は略同一である。従って調整タレット９４の説明のみを行う。
【００３５】
調整タレット９４は、カバー１００、主本体１０２、調整ネジ１０４を含む。カバー１００は調整ネジ１０４に固定される。従って、カバー１００を主本体２２に対して回転させると、調整ネジ１０４も同様に主本体２２に対して移動する。主本体１０２に対するカバー１００の回転方向に応じて、調整ネジ１０４は、レチクル−レンズハウジング８４に向かう又はレチクル−レンズハウジング８４から離れる方向（Ｘ）に沿って移動する。主本体１０２は、ハウジング１２に対してカバー１００を回転可能に支持し、また方向（Ｘ）への移動のために、ハウジング１２に対して調整ネジ１０４を支持する。
【００３６】
主本体１０２は、主本体２２のスレッド付き穿孔１０８と噛合して係合する一連のスレッド１０６を含む。主本体１０２のスレッド１０６とハウジング１２のスレッド付き穿孔１０８との間の係合により、主本体１０２はハウジング１２に取り付けられる。更に、主本体２２に対して主本体１０２を位置決めすることにより、調整ネジ１０４は、ハウジング１２の内側キャビティ２８内へと延伸でき、これによって調整ネジ１０４はレチクル−レンズハウジング８４に接触できる。以下に更に詳細に説明するように、レチクル−レンズハウジング８４は、リレー組立体１８によって調整ネジ１０４と係合するよう付勢される。
【００３７】
図４〜８を特に参照すると、主チューブ１１０、トラックチューブ１１２、エンドキャップ１１４、トラックチューブ保持器１１６、付勢要素１１８を含む、リレー組立体１８が示されている。主チューブ１１０は、図２、３に示すように、長手方向軸３０に対して略平行な方向に移動するよう、第１のリレーレンズ組立体７６及び第２のリレーレンズ組立体７８をその中に支持する。主チューブ１１０は更に、内側キャビティ２８内にトラックチューブ１１２を回転可能に支持し、これによりトラックチューブ１１２は、長手方向軸３０の周りで主チューブ１１０に対して回転できる。
【００３８】
主チューブ１１０は、第１の端部１２０、第２の端部１２２、第１の端部１２０と第２の端部１２２との間に延在する内側キャビティ１２４、スロット１２６を含む。第１の端部１２０は、一連の内側スレッド１２８及び係合表面１３０を含む。第２の端部１２２は、主チューブ１１０の第１の端部１２０と反対側の端部に位置し、主チューブ１１０の外側表面１３４から延在するカラー１３２を含む。カラー１３２は、カラー１３２と外側表面１３４との接合部において係合表面１３６を画定する。スロット１２６は主チューブ１１０を通るように形成され、これによりスロット１２６は外側表面１３４から内側キャビティ１２４へと延伸する。スロット１２６は、概ね第１の端部１２０と第２の端部１２２との間に延在し、長手方向軸３０に対して略平行である。
【００３９】
トラックチューブ１１２は主チューブ１１０によって摺動可能かつ回転可能に受承され、これによってトラックチューブ１１２の内側表面１３８は、トラックチューブ１１２を主チューブ１１０上に設置した場合に、主チューブ１１０の外側表面１３４に対向する。トラックチューブ１１２は、第１の端部１４０、第２の端部１４２、第１のスロット１４４、第２のスロット１４６を含む。第１の端部１４０は、係合表面１５０及びスレッド付き穿孔１５２を有するカラー１４８を含む。第２の端部１４２は、トラックチューブ１１２の第１の端部１４０とは反対側の端部に配置され、トラックチューブ１１２を主チューブ１１０上に配置した場合に、主チューブ１１０の係合表面１３６に対向する。
【００４０】
第１のスロット１４４及び第２のスロット１４６はそれぞれ、長手方向軸３０に対してある角度に形成される。例えば図４に示すように、第１のスロット１４４は角度（Φ）に形成してよく、第２のスロット１４６は角度（β）に形成される。角度（Φ，β）はそれぞれ鋭角であり、これによりスロットは、図４に最もよく示されているように、互いに対して角度を有する。以下により詳細に説明するように、リレーレンズ組立体７６、７８を異なる角度で調整できるよう、角度（Φ，β）は異なる鋭角であってよい。スロット１４４、１４６は、内側表面１３８と外側表面１５４との間のトラックチューブ１１２を通って延在する。
【００４１】
エンドキャップ１１４は、外側球面１５６、エンドキャップ１１４の外側球面１５６とは反対側に形成された内側スレッド１５８、エンドキャップ１１４を通って延在する穿孔１６０、一連のチャネル１６２を含む。図５に示すように、穿孔１６０は、エンドキャップ１１４の周りに間隔を開けて配置され、チャネル１６２内に形成される。穿孔１６０は、主チューブ１１０の各取り付け孔１６６においてエンドキャップ１１４を主チューブ１１０に取り付けるための締結器具１６４を受承する。
【００４２】
エンドキャップ１１４は、ハウジング１２の主本体２２に一体形成されたソケット又はシート１６６と係合する。ソケット又はシート１６６は、ハウジング１２内に機械加工されてよく、内側キャビティ２８内に配置される。エンドキャップ１１４の外側球面１５６は、リレー組立体１８を内側キャビティ２８に設置する際に、ハウジング１２のソケット１６６と係合する。エンドキャップ１１４は内側キャビティ２８内に保持され、保持器１６８によってソケット１６６と接触するよう維持される（図２）。保持器１６８は、ハウジング１２のスレッド４２によって第１の端部３２において噛合して受承され、弓形内側表面又はソケット１７０を含む。保持器１６８のソケット１７０は、ハウジング１２のソケット１６６と協働して、エンドキャップ１１４のための軸受け表面を提供する。
【００４３】
エンドキャップ１１４が、ハウジング１２のソケット１６６及び保持器１６８のソケット１７０と接触している場合、エンドキャップ１１４は、ハウジング１２内においてソケット１６６、１７０の周りで回転できる。ハウジング１２に対するハウジング１２内でのエンドキャップ１１４の回転は同様に、主チューブ１１０及びこれに伴ってトラックチューブ１１２を、ハウジング１２の内側キャビティ内において、ハウジング１２に対してエンドキャップ１１４の周りで枢動させる。エンドキャップ１１４は主チューブ１１０と共に移動するように締結器具１６４を介して固定され、トラックチューブ１１２は主チューブ１１０に取り付けられ、概ねエンドキャップ１１４とカラー１３２の係合表面１３６との間に延在するため、主チューブ１１０及びトラックチューブ１１２は、エンドキャップ１１４と共に枢動する。従って主チューブ１１０の第２の端部１２２の近傍に力を印加すると、エンドキャップ１１４の外側球面１５６はソケット１６６、１７０によって向きを決められ、またソケット１６６、１７０に接しているため、主チューブ１１０及びトラックチューブ１１２はハウジング１２に対して移動し、エンドキャップ１１４の周りで枢動する。
【００４４】
保持器１６８を主本体２２の第１の端部３２内に、ソケット１７０がエンドキャップ１１４の外側球面１５６と係合するまでねじ込んでよい。即ち、外側球面１５６においてエンドキャップ１１４に所望の力が印加されて、ソケット１６６、１７０内におけるソケット１６６、１７０に対する外側球面１５６の移動に対して所望の程度の抵抗が提供されるまで、保持器１６８を第１の端部３２内に挿入してよい。ハウジング１２のソケット１６６に対する保持器１６８の所望の位置が達成され、エンドキャップ１１４がソケット１６６、１７０間に位置決めされると、ロックタイト（登録商標）又は別の適切な接着剤を用いて、ハウジング１２に対する保持器１６８の位置を固定してよい。
【００４５】
説明したように、エンドキャップ１１４の外側球面１５６はハウジング１２の内側表面と直接接触する。即ち外側球面１５６は、ハウジング１２内に形成及び／又は機械加工されたソケット１６６と直接接触する。ソケット１６６をハウジング１２と一体形成すること、及び／又はソケット１６６をハウジング１２内に機械加工することにより、ハウジング１２の内側キャビティ２８内において内側キャビティ２８に対して枢動移動できるようにエンドキャップ１１４を支持するための別個の保持器は不要となる。
【００４６】
長手方向軸３０に沿った主チューブ１１０に沿ったトラックチューブ１１２の位置は、トラックチューブ保持器１１６によって制御される。即ちトラックチューブ保持器１１６のスレッド１７２は、エンドキャップ１１４の内側スレッド１５８と係合する。従って、一連の平坦部１７４においてトラックチューブ保持器１１６に回転力が印加されると、トラックチューブ保持器１１６はエンドキャップ１１４に対して回転し、平坦部１７４に印加された回転の方向に応じて、長手方向軸３０に沿って、主チューブ１１０の第２の端部１２２に向かう方向又は主チューブ１１０の第２の端部１２２から離れる方向へと移動する。組み立て中、トラックチューブ１１２はまず、トラックチューブ１１２の内側表面１３８が主チューブ１１０の外側表面１３４に対向するように、主チューブ１１０上に設置される。トラックチューブ１１２は、トラックチューブ１１２の第２の端部１４２が主チューブ１１０の係合表面１３６に接触するまで、長手方向軸３０に沿って移動させてよい。この時点において、トラックチューブ保持器１１６をエンドキャップ１１４上にネジ留めでき、エンドキャップ１１４とトラックチューブ保持器１１６との部分組立体を第１の端部１２０において主チューブ１１０上に位置決めできる。
【００４７】
エンドキャップ１１４及びトラックチューブ保持器１１６を主チューブ１１０の第１の端部１２０上に位置決めした後、エンドキャップ１１４に回転力を印加して、エンドキャップ１１４の穿孔１６０を、主チューブ１１０の取り付け孔１６７と適切に位置合わせしてよい。この時点において、締結器具１６４を穿孔１６０に挿入してよく、続いて主チューブ１１０の取り付け孔１６７に挿入して、主チューブ１１０と共に移動するようエンドキャップ１１４を固定してよい。主チューブ１１０と共に移動するようにエンドキャップ１１４を固定することにより、これと同様にトラックチューブ保持器１１６をエンドキャップ１１４とトラックチューブ１１２の第１の端部１４０との間に位置決めする。
【００４８】
平坦部１７４においてトラックチューブ保持器１１６に回転力を印加することにより、トラックチューブ保持器１１６をトラックチューブ１１２に向かう方向に移動させることができる。この回転力は、トラックチューブ保持器１１６が係合表面１５０においてトラックチューブ１１２と接触するまでトラックチューブ保持器１１６に印加してよい。トラックチューブ保持器１１６はトラックチューブ１１２の係合表面１５０と接触するものとして説明したが、これに代えて、照準器１０の組立中に所望の厚さのシム（図示せず）を使用してもよい。即ち、トラックチューブ保持器１１６とトラックチューブ１１２の係合表面１５０との間にシムを位置決めして、トラックチューブ保持器１１６とトラックチューブ１１２との間の所望の距離を設定してよい。トラックチューブ保持器１１６がシムと接触して、シムを係合表面１５０と係合させると、シムを取り外して、エンドキャップ１１４に対するトラックチューブ保持器１１６の位置を固定してよい。例えば、ロックタイト（登録商標）又は別の適切な接着剤を用いて、エンドキャップ１１４内におけるエンドキャップ１１４に対するトラックチューブ保持器１１６の更なる回転を防止し、これによってエンドキャップ１１４に対するトラックチューブ保持器１１６の位置を固定してよい。エンドキャップ１１４に対するトラックチューブ保持器１１６の位置を固定することにより、これと同様に、トラックチューブ１１２に対するトラックチューブ保持器１１６の位置も固定され、従ってトラックチューブ保持器１１６と主チューブ１１０の係合表面１３６との間の軸方向距離が固定される。
【００４９】
トラックチューブ保持器１１６と主チューブ１１０の係合表面１３６との間の軸方向距離は、トラックチューブ保持器１１６が設置され、エンドキャップ１１４と共に移動するよう固定された後の、長手方向軸３０に沿ったトラックチューブ１１２の軸方向移動量を決定する。従ってトラックチューブ保持器１１６は主チューブ１１０のカラー１３２と協働して、長手方向軸３０に対して略平行な方向におけるトラックチューブ１１２の軸方向移動の程度を画定する。
【００５０】
トラックチューブ保持器１１６が長手方向軸３０に沿って、トラックチューブ１１２に対する所望の位置まで移動できるようにすることにより、トラックチューブ保持器１１６は、リレー組立体１８の様々な構成部品１１０、１１２、１１４、１１６のいずれの製造許容誤差を考慮できる。即ち、トラックチューブ保持器１１６はエンドキャップ１１４にネジ式で取り付けられているため、トラックチューブ保持器１１６と主チューブ１１０のカラー１３２との間の距離が、様々な構成部品１１０、１１２、１１４、１１６のいずれの製造許容誤差に関わらず略一定とすることができるように、長手方向軸３０に沿ったトラックチューブ保持器１１６の軸方向位置を、照準器１０の製造中に調整できる。例えば、第１の端部１４０と第２の端部１４２との間に延在するトラックチューブ１１２の長さが、異なる照準器１０の異なる部品間で変動する場合、トラックチューブ保持器１１６をエンドキャップ１１４に対して固定する前にトラックチューブ保持器１１６をエンドキャップ１１４に対して調整可能とすることにより、トラックチューブ保持器１１６は、トラックチューブ１１２の長さの変動に関わらず、トラックチューブ保持器１１６と主チューブ１１０のエンドキャップ１１４との間のトラックチューブ１１２の所望の軸方向移動を設定できる。要するにトラックチューブ保持器１１６は、トラックチューブ保持器１１６とエンドキャップ１１４との間の距離を再現可能とし、これにより、様々な構成部品１１０、１１２、１１４、１１６のいずれの製造許容誤差に関わらず、主チューブ１１０に対するトラックチューブ１１２の軸方向移動を再現可能とする。
【００５１】
エンドキャップ１１４は更に、保持器１７８によってエンドキャップ１１４内に支持されたレンズ１７６を含んでよい。レンズ１７６は第１のリレーレンズ組立体７６及び第２のリレーレンズ組立体７８と協働して、標的の所望の倍率を提供できる。従ってレンズ１７６は光学系トレーン１４の一部であり、エンドキャップ１１４と共に移動するよう固定される。
【００５２】
付勢要素１１８は、係合表面１８２を有する突出部１８０を含んでよい。突出部１８０は、この突出部１８０を主チューブ１１０に取り付ける１対のアーム１８４から延在してよい。具体的には、上記アーム１８４はカラー１３２の一部を取り囲んでよく、また上記アーム１８４はそれぞれ、それぞれの締結器具１８８を受承する少なくとも１つの取り付け孔１８６を含んでよい。締結器具１８８は、アーム１８４の取り付け孔１８６に挿入され、続いてカラー１３２に形成されたそれぞれの取り付け孔１９０に挿入される。取り付け孔１９０は、締結器具１８８をネジ式で受承する一連のスレッド（図示せず）を含んでよい。
【００５３】
付勢要素１１８をカラー１３２に取り付けると、付勢要素１１８は主チューブ１１０と共に移動するよう固定される。突出部１８０は主チューブ１１０から離れるように延在し、これにより係合表面１８２は内側キャビティ２８内においてハウジング１２の内側表面と接触する。係合表面１８２は、実質的に調整タレット９４、９６の間の位置においてハウジング１２の内側表面と接触し、これにより付勢要素１１８は、調整タレット９４、９６両方に対して同時に力を印加できる。
【００５４】
一構成例では、付勢要素１１８の突出部１８０は、突出部１８０が調整タレット９４、９６それぞれに対して略４５°の位置となるように、調整タレット９４、９６間に延在する。換言すると、突出部１８０は、調整タレット９４及び調整タレット９６から約４５°だけオフセットされる。突出部１８０を上述のように位置決めすることにより、付勢要素１１８は調整タレット９４、９６両方に対して同時に力を印加でき、これにより、調整タレット９４が調整ネジ１０４を方向（Ｘ）に沿って設置部分３６から離れるように移動させた場合に、レチクル−レンズハウジング８４のレンズ８２は、方向（Ｘ）に沿って、設置部分３６から離れる方向に移動できる。反対に、調整タレット９４が調整ネジ１０４を方向（Ｘ）に、設置部分３６に向かって移動させた場合に、突出部１８０は偏向して、ユーザがレンズ８２の正確な調整及びこれに伴ってレチクルパターンの正確な調整を得られるように、上記運動に対する抵抗を提供する。
【００５５】
リレー組立体１８をハウジング１２に設置し、アイピース２４を第１の端部３２に取り付けた後、照準器１０を、設置用特徴部分５０において火器２０に取り付けてよい。この時点において、ユーザは調整タレット９４、９６のうち一方又は両方を用いて、各プランジャ１０４を内側キャビティ２８内へと更に移動させるか又は内側キャビティ２８から更に引き出すかを選択的に行うことで、ハウジング１２の内側キャビティ２８内における内側キャビティ２８に対するレチクル−レンズハウジング８４の位置を調整することにより、仰角及び偏流を考慮できる。上述のように、内側キャビティ２８内における内側キャビティ２８に対するレチクル−レンズハウジング８４のこのような移動により、同様にレンズ８２が移動し、これに伴ってハウジング１２に対してだけでなく火器２０に対してもレチクルパターンの位置を調整する。
【００５６】
レチクル−レンズハウジング８４の移動は、調整ネジ１０４によってレチクル−レンズハウジング８４に力を印加し、これによりリレー組立体１８をエンドキャップ１１４の周りで枢動させることによって実現される。エンドキャップ１１４のこのような移動により、外側球面１５６はソケット１６６、１７０と係合する。外側球面１５６とソケット１６６、１７０との間のこのような係合は、内側キャビティ２８内における内側キャビティ２８に対するリレー組立体１８の移動を制御する。
【００５７】
倍率の上昇又は低下は、ハウジング１２及び取り付けカラー２６（図２）によって回転可能に支持された調整カラー１９２に対して回転力を印加することによって達成できる。調整カラー１９２は、調整カラー１９２と共に移動するよう固定されたポスト１９４を含み、トラックチューブ１１２のスレッド付き穿孔１５２によってネジ式で受承される。従って、調整カラー１９２に回転力が印加され、調整カラー１９２がハウジング１２に対して移動すると、この力はポスト１９４によってトラックチューブ１１２に伝達される。伝達された力は同様に、トラックチューブ１１２をハウジング１２に対して長手方向軸３０の周りで回転させる。
【００５８】
長手方向軸３０の周りでのトラックチューブ１１２の回転は、第１のリレーレンズ組立体７６及び第２のリレーレンズ組立体７８を長手方向軸３０に沿って移動させることにより、照準器１０の倍率を調整する。即ち第１のリレーレンズ組立体７６及び第２のリレーレンズ組立体７８はそれぞれ、スレッド付き穿孔２００を有するハウジング１９６、１９８を含む。穿孔２００は軸受け２０４を有する締結器具２０２を受承する。従って、締結器具２０２を穿孔２００に設置すると、軸受け２０４は概ね締結器具２０２のヘッドと各ハウジング１９６、１９８の外側表面２０６との間に配置される。
【００５９】
軸受け２０４は、トラックチューブ１１２の各スロット１４４、１４６内に回転可能に受承され、また同様に主チューブ１１０のスロット１２６内に受承される。軸受け２０４は各締結器具２０２の周りで回転し、これにより軸受け２０４はトラックチューブ１１２のスロット１４４、１４６内においてスロット１４４、１４６に対して移動し、また主チューブ１１０のスロット１２６内において移動する。
【００６０】
調整カラー１９２に回転力が印加され、この回転力がポスト１９４を介してトラックチューブ１１２に印加されると、この力は同様に、第１のスロット１４４及び第２のスロット１４６の、これらが角度を有するという性質により、軸受け２０４に伝達される。即ち、トラックチューブ１１２が主チューブ１１０の周りで主チューブ１１０に対して回転するにつれて、軸受け２０４は第１のスロット１４４及び第２のスロット１４６を横断する。このような移動は同様に、軸受け２０４を、主チューブ１１０のスロット１２６内において長手方向軸３０に対して略平行な方向に移動させる。
【００６１】
主チューブ１１０のスロット１２６に沿った軸受け２０４の移動は同様に、主チューブ１１０の内側キャビティ１２４内における長手方向軸３０に対して略平行な方向のハウジング１９６、１９８の移動を引き起こす。主チューブ１１０内における長手方向軸３０に対して略平行な方向のハウジング１９６、１９８のこのような移動は、ハウジング１９６、１９８それぞれに関連する各レンズ８０の移動を引き起こし、これらを主チューブ１１０内において主チューブ１１０に対して移動させる。レンズ８０の移動は、照準器１０の倍率の調整を引き起こす。所望の倍率が達成されたら、調整カラー１９２に印加されている力を解放してよく、第１のリレーレンズ組立体７６及び第２のリレーレンズ組立体７８の、並びにこれに伴って関連するレンズ８０の、主チューブ１１０内における位置は、主チューブ１１０及びトラックチューブ１１２の各スロット１２６、１４４、１４６内における軸受け２０４間の係合により維持される。
【００６２】
以上の実施形態の説明は、例示及び説明を目的として提供したものである。これは包括的なものであること又は本開示を限定することを意図したものではない。特定の実施形態の独立した要素又は特徴は一般に、その特定の実施形態に限定されるものではなく、適用可能な場合は相互交換可能であり、ある選択した実施形態において、具体的に図示又は説明されていなくても使用可能である。同一の要素は様々に変動してもよい。このような変動は本開示からの逸脱とみなされるべきものではなく、全てのこのような修正は本開示の範囲内に含まれることが意図されている。
【図１】
2015191239.tif 000003
【図２】
2015191239.tif 000004
【図３】
2015191239.tif 000005
【図４】
2015191239.tif 000006
【図５】
2015191239.tif 000007
【図６】
2015191239.tif 000008
【図７】
2015191239.tif 000009
【図８】
2015191239.tif 000010